(57)【特許請求の範囲】
【請求項１】
リレーソケットの電気コンタクトを導電接続するためのモジュール型電気クロスコネクタにおいて、
キャリアと、該キャリアに部分的に受容されて導電接続する電気架橋部とを具備し、
前記キャリアは、機械的プラグ接続により、少なくとも第２の電気プラグコネクタに機械的に接続可能であり、
前記キャリアは、雌型及び雄型の機械的接続により、２個の電気クロスコネクタを互いに接続可能にするように構成され、
前記キャリアは、２個の電気クロスコネクタの前記機械的接続がスナップオン、ラッチ、嵌合、締付け、クリップ又はクランプ接続により生み出されるように構成され、
前記キャリアは、単一の前記キャリアの２個の固定部が機械的接続のために相互に対応する固定部であるように構成され、
前記キャリアの固定部は、前記キャリアの前記電気架橋部の連結部の領域に構成され、
固定部が、前記キャリア上の突片として構成され、
該突片は、前記電気架橋部の連結部から横方向外方へ突出し、前記電気架橋部から離れる方向を向き、
前記キャリアの固定部は、前記モジュール型電気クロスコネクタの縦方向に関して対称的に構成され、
前記キャリアは、第１の固定部として結合部を有すると共に、第２の固定部として受容部を有し、
第２のモジュール型電気クロスコネクタのキャリアの結合部が、前記モジュール型電気クロスコネクタの前記受容部に少なくとも部分的に受容可能であり、
前記受容部は、凹部又は溝を有し、
前記結合部は、突起又は固定帯を有し、
前記凹部の寸法又は前記溝の長さは、前記突起の寸法又は前記固定帯の長さより大きく、
前記受容部の前記凹部又は前記溝は、少なくとも部分的な湾曲、段状、矩形、台形又はあり形状の断面を有し、
前記結合部の前記突起又は前記固定帯は、前記凹部又は前記溝にラッチできる対応した断面形状を有することを特徴とするモジュール型電気クロスコネクタ。
【請求項２】
前記結合部は、個別の固定帯、又は互いにほぼ平行に配置された少なくとも２個の固定帯を有し、
前記固定帯は、少なくとも部分的に三角形の断面を有することを特徴とする請求項１記載のモジュール型電気クロスコネクタ。
【請求項３】
２個のモジュール型電気クロスコネクタを機械的に接続する際に、第２のモジュール型電気クロスコネクタの電気架橋部の横方向外方の制限部上に載置されるように、前記モジュール型電気クロスコネクタに、前記電気架橋部の横方向外方の制限部が設けられていることを特徴とする請求項１または２記載のモジュール型電気クロスコネクタ。
【請求項４】
前記電気架橋部は、前記キャリアの横方向外方の制限部が前記電気架橋部の前記横方向外方の制限部に整列するように構成されていることを特徴とする請求項３記載のモジュール型電気クロスコネクタ。
【請求項５】
前記電気架橋部は、前記モジュール型電気クロスコネクタの縦方向又は縦の中心線に関してオフセットされた電気コンタクトピンを有することを特徴とする請求項１ないし４のうちいずれか１項記載のモジュール型電気クロスコネクタ。
【発明の詳細な説明】
【技術分野】
【０００１】
本発明は、導電接続を生み出す電気クロスコネクタに関し、リレーソケットの電気コンタクトに関する。本発明はさらに、１個以上のリレーソケット用の本発明に従った電気クロスコネクタの使用に関する。
【背景技術】
【０００２】
機械及びプラント構成、自動車、並びにビルディング自動化の用途に、多数のリレー又はリレーファミリーがある。これらには、例えば自動車用リレー、マルチモードリレー、及び１個以上の切り替えコンタクトを有するパフォーマンスリレーが含まれる。モジュール状に構成されたリレーは、関連する同様のモジュール型リレーソケットと共に、産業界で支持されていることが証明され、用途によっては対応する関連リレーソケットにリレーを差し込むことが可能である。
【０００３】
多くの用途において、リレーソケット内の電気コンタクトを介して複数のリレーを互いに電気接続することが必要である。この目的のために、リレーソケットのホルダに差し込むことができる電気クロスコネクタが公知である。これら電気クロスコネクタを使用すると、複数の電圧が互いに平行して接続される。この場合、電気クロスコネクタは、複数の隣接するリレーソケットのホルダ内に差し込まれ、各々１個のホルダが空いたままである。電気クロスコネクタのリレーソケットへの組立方向は上又は横であるので、差し込む際、電気クロスコネクタを容易に見ることができる。
【０００４】
電気クロスコネクタは、コイル電圧を通ってループするために、換言するとコイルコンタクトを電気的に接続するよう、関連するリレーの電気入力部において使用される。リレーの電気出力部において、例えば信号回路又は駆動回路である複数の供給電圧は、電気接続することができる。視覚的制御は、ＬＥＤを用いて行うことができる。
【０００５】
複数の電気クロスコネクタが従来技術から公知である。特許文献１は、油圧制御システム用の電気クロス接続デバイスを開示する。また、特許文献２は、モジュール化自動装置の副組立体用の電気接続モジュール部品を開示する。さらに、特許文献３、特許文献４、特許文献５及び特許文献６は、櫛歯状構造の電気コンタクトばねを有する電気クロスコネクタすなわちシリーズコネクタを開示する。また、特許文献７及び特許文献８はそれぞれ、電気装置用のブロック状電気接続を開示する。
【０００６】
特許文献９は、制御装置又は制御機構のバス回路基板すなわちバックプレーン用の電気シリーズピンプラグを開示する。電気シリーズピンプラグは、内部にピンプラグが受容され、断面がほぼＵ形状のプラスチック材料のハウジングを有する。ピンプラグはそれぞれ、ハウジング内部の相互に平行な２列に受容される。
【０００７】
特許文献１０は、リレー用のインタフェース用櫛歯コネクタを開示する。櫛歯コネクタは、絶縁材料製のハウジングと、このハウジング内に埋設され、多数の電気ピンコンタクトを有して平坦なハウジングから直角に突出する電気接続部材とを有する。櫛歯コネクタは、直に隣接する２本のピンコンタクト間に、ハウジングの絶縁材料上の所定の切断点を有する架橋部を有する。
【０００８】
特定数の電気ピンコンタクトを有する櫛歯コネクタが必要な場合、対応する所定の切断点で切断工具を用いて十分な長さの櫛歯コネクタが得られる。この場合、自由端は、磨耗に対して分離することができるので、別体の部品によりカバーキャップとして構成される。所定長さに切断された櫛歯コネクタの自由端にカバーキャップのしっかりした着座を保証するために、ハウジングの残余の架橋部及びカバーキャップは、相互に対応するラッチ要素を有する。
【０００９】
この種の櫛歯コネクタの一実施形態は、例えば６極の電気ピンコンタクトを有し、小さな変動が望ましい場合、切断工具でせん断される必要がある。櫛歯コネクタにおいて、２本の電気ピンコンタクト間の接続部材は、２本の電気ピンコンタクトを接続する金属部と、プラスチック材料製のハウジングとからなる。元の櫛歯コネクタよりも小さい機能櫛歯コネクタを得るために、切断工具によるせん断に加えて、櫛歯コネクタを再度完全に絶縁するよう、追加部品すなわち端部カバーキャップが必要である。さらに、櫛歯コネクタの別体部品は、最早使用されないので、廃棄物になる。
【特許文献１】米国特許第４４６９１２８号明細書
【特許文献２】独国特許出願公開第４２２５５７３号明細書
【特許文献３】独国特許出願公開第３００２５１５号明細書
【特許文献４】米国特許第５３７２５２１号明細書
【特許文献５】独国特許第３３１２００２号明細書
【特許文献６】独国特許第１９５４２６２８号明細書
【特許文献７】スイス国特許出願公開第５８０３４２号明細書
【特許文献８】欧州特許出願公開第３８７１５８号明細書
【特許文献９】米国特許第４４７７８６２号明細書
【特許文献１０】欧州特許出願公開第８９３８５９号明細書
【特許文献１１】米国特許第５６６９７８８号明細書
【発明の開示】
【発明が解決しようとする課題】
【００１０】
本発明は、導電接続するための改良された電気クロスコネクタを提供することを目的とする。導電接続は、特に、リレーソケットの電気コンタクトの導電接続に適するべきである。
【課題を解決するための手段】
【００１１】
本発明に従った電気クロスコネクタは、任意の所望数の電気コンタクトがクロスコネクタで互いに導電接続することができるように構成される。これは、１個の差し込み工程で可能である。また、本発明に従った電気クロスコネクタは、任意の所望の電気的多数接触に対して廃棄物を出さないように構成される。さらに、本発明に従った電気クロスコネクタは、工具無しで取り扱われ、単一構造内であっても互いに離間して異なる距離に位置する電気コンタクトに適する。また、電気クロスコネクタ自体とは別に、１個又は複数の電気接続に、例えば上述したカバーキャップ等の追加部品が不要である。
【００１２】
本発明は、請求項１に従った導電接続を生み出すためのモジュール型電気クロスコネクタを用いて達成される。
【００１３】
本発明に従ったモジュール型電気コネクタは、キャリアと、このキャリアに部分的に受容される電気架橋部とを有する。電気架橋部を用いて、導電接続が形成される。この場合、モジュール型電気コネクタのキャリアを、機械的接続又は機械的相互接続によって少なくとも第２電気コネクタに機械的に接続することが可能である。ここでは、再解除可能な機械的接続又は再解除可能な機械的相互接続が好ましい。
【００１４】
モジュール型電気クロスコネクタのキャリアストリップは、２個の電気クロスコネクタの相互接続を確立するよう対応して構成されるのが好ましい。換言すると、電気クロスコネクタのキャリア又は多数の電気クロスコネクタの各キャリアは、雌型（non-positive）又は雄型（positive）な機械的接続により２個以上の電気クロスコネクタが互いに接続できるように構成される。この場合、２個の電気クロスコネクタのみならず、複数の電気クロスコネクタが、本発明に従った機械的接続又は本発明に従った機械的相互接続を用いて互いに固定することができる。機械的接続又は機械的相互接続は、プラグ、スナップオン、ラッチ、嵌合、締付け、クリップ、クランプ接続であるのが好ましい。
【００１５】
モジュラ構造と、電気クロスコネクタ間の好適には再解除可能である機械的接続とは、所望の任意の数で頻繁に差し込み接続でき、再度解除できることを意味する。本発明に従った２個の電気クロスコネクタの接続数は、好適にはプラスチック材料から構成されるキャリアを用いて、排他的に実施される。電気的接続は、キャリアに設けられた電気架橋部を用いて実施される。キャリアから突出する架橋部の電気コンタクトピンは、例えばリレーソケットのホルダ等の電気装置、電気デバイス又は電気的機構の電気コンタクト内に差し込み可能である。
【００１６】
本発明によれば、モジュラ状に構成された電気クロスコネクタを差し込み接続し解除するために、工具は不要である。また、単一又は複数の電気的接続を生み出す際に、廃棄物が生じない。本発明によれば、複数の電気接続を生み出すことができ、本発明に従った単一の接続は、複数の個別の電気クロスコネクタを単に差し込むことにより、本発明に従った複数の電気クロスコネクタになる。例えばカバーキャップ等の追加の絶縁部品は必要ではない。
【００１７】
本発明の好適な一実施形態において、各モジュール型電気クロスコネクタは、２個の固定部を有する。ここで、単一の電気クロスコネクタの固定部はそれぞれ、これら２個の固定部の各々が別の電気クロスコネクタの別の２個の固定部の一方に固定できるように構成される。換言すると、各電気クロスコネクタは、１個が他の全てに固定でき、他の全てが互いに固定できるように構成されるのが好ましい。これは、単一の電気クロスコネクタの２個の固定部が、単一の電気クロスコネクタ上又は単一の電気クロスコネクタ内に構成されていない場合には、互いに固定されることを意味する。本発明によれば、各電気クロスコネクタのキャリアは、その２個の固定部が相互に対応する固定部であるように、いわば雄型及び雌型の固定若しくは機械的相互接続、又は機械的接続であるように構成される。
【００１８】
本発明の複数の実施形態において、モジュール型電気クロスコネクタの第１固定部は接合部であり、第２固定部は受容部である。本発明によれば、第２電気クロスコネクタの接合部は、電気クロスコネクタの受容部内に少なくとも部分的に設けることができる。換言すると、受容部及び接合部は、プラグ、スナップオン、ラッチ、嵌合、クリップ、クランプ接続として相互に対応するように構成されるのが好ましい。
【００１９】
本発明の実施形態において、モジュール型電気クロスコネクタは、電気クロスコネクタの電気架橋部から横方向外側に突出する突片を有する。本発明によれば、受容部又は接合部は、突片上又は突片内に設けられる。これに対応して、電気架橋部の連結部の一領域において、対応する結合部又は受容部は、電気クロスコネクタ上又は電気クロスコネクタ内に設けられる。
【００２０】
モジュール型電気クロスコネクタの受容部、結合部は、電気クロスコネクタの中心を通る縦の延長方向に沿った断面平面に関してほぼ対称的に互いに関して配置されることが好ましい。この断面平面は、電気クロスコネクタの縦の中心線に関して垂直方向に配置されることが好ましい。受容部及び結合部は、電気クロスコネクタの縦方向に整列する、換言すると、電気クロスコネクタの縦の中心線とほぼ平行に配置されることが好ましい。また、各固定部自体は、電気クロスコネクタの縦方向に関して同様であることが好ましい。これは、電気クロスコネクタの縦方向に関してほぼ対称的に構成され、或いは自身上にほぼマップされることを意味する。
【００２１】
２個のモジュール型電気クロスコネクタを互いに固定するために、これらのコネクタは、互いに向かって並進移動することが好ましい。一方の電気クロスコネクタの結合部は、他方の電気クロスコネクタの受容部内に挿入すなわち差し込まれる。これはまた、回転運動により付加的に又は単独で起きる。すなわち、結合部の受容部への挿入すなわち差込みは、直線（のみ）では生ぜず、２個の電気クロスコネクタの互いに対する固定は引き続いて生み出される。すなわち、一方の固定部は、一瞬間で２個の間に固定が生み出される際にもはやスナップインしないが、相互固定の端部は、連続する「スナップイン」を利用して達成される。この場合、一方の電気クロスコネクタは、他方に対して相対回転運動する。その間、例えば相互ラッチが連続して確立されている。
【００２２】
本発明の一実施形態において、第１固定部は突起すなわち固定帯を有するのに対し、第２固定部はそれに対応する凹部すなわち溝を有する。この場合、凹部すなわち溝の寸法は、突起すなわち固定帯の寸法より大きいことが好ましい。これは特に、突起すなわち固定帯の長さより大きいことが好ましい凹部すなわち溝の長さに関連する。この場合、各長さは、モジュール型電気クロスコネクタの縦方向に延びる。この結果、互いに固定すなわち接続された２個の電気クロスコネクタは、所定範囲内で互いに対して変位又は移動可能になるように設けられる。このため、例えば、隣接する２個のホルダの幅許容差の均一化が可能である。また、２個の電気クロスコネクタの互いに関する十分な移動可能性を有するので、本発明に従った電気クロスコネクタは、互いに関してホルダの異なる幅又はホルダの異なる間隔に使用することができる。
【００２３】
本発明によれば、第２固定部は、第１固定部の対応する輪郭がスナップイン、ラッチイン、嵌入、ピンチイン、クリップイン、又はクランプインできる特定の中空輪郭を有する。この目的のために、対応する湾曲状、三角形又はフック状の輪郭が配置可能である矩形若しくは部分的な矩形、階段状、台形、あり溝状の中空輪郭が特に適する。
【００２４】
第１固定部は、第２固定部内にラッチ可能である、互いに平行に配置された単一又は２個の固定帯を有することが好ましい。各固定帯は、対応してさらに湾曲してもよい対応するフック状又は三角形状の輪郭を有するのが好ましい。
【００２５】
本発明の実施形態において、２個の電気クロスコネクタが互いに接続されている場合において、２個の電気架橋部又は２個の電気架橋部の関連する電気コンタクトピンが電気的に接触して互いの上に載置されるように、各モジュール型電気クロスコネクタを設計することが可能である。これは、２本の関連するコンタクトピンの一方の縦辺により生ずることが好ましい。本発明によれば、２個の電気クロスコネクタの機械的な接続中にコンタクトピンが２個の電気クロスコネクタの横方向外側の相互に関連した制限部に設けられるように、各電気コンタクトピンの横方向外側の制限部が提供される。キャリアの各端部は、各コンタクトピンの横方向外側の制限部と整列するように構成されることが好ましい。換言すると、電気クロスコネクタの各横辺は、キャリアの端面及び電気コンタクトピンの縦辺も配列される一平面内に実質的に配置されることが好ましい。
【００２６】
本発明の好適な実施形態において、個々のモジュール型電気クロスコネクタの２本の電気コンタクトピンは、電気クロスコネクタの縦方向又は縦中心線に関して離間して配置される。すなわち、電気架橋部が、２本の電気コンタクトピンと一平面内にないようにすることが好ましい。電気架橋部の連結部に沿った又はキャリアに沿った２本の電気コンタクトピン間のキャリアの間隔が、比較的大きなすなわち長い中央領域（電気コンタクトピンが電気クロスコネクタから下方に突出する、キャリアの２個の延長部間の縦凹部）で自由のままであることが好ましい。その結果、本発明によれば、電気クロスコネクタが、ホルダ上に連続的に供給されるばかりでなく、少なくとも部分的には平行に供給されることが可能になる。
【００２７】
本発明に従った単一のモジュール型電気クロスコネクタの２本の電気コンタクトピンの間隔は、もちろんホルダ又は電気コンタクトの格子幅に依存して自由に選択できる。この格子幅の補助により、２個の固定部の寸法すなわち長さも選択することができる。換言すると、この場合、個別の固定部は、最大でちょうど格子幅の半分の長さすなわち大きさになることができる。これが必要でない場合、架橋部は、キャリアの２個の固定部間に設けてもよい。
【００２８】
本発明のさらに好適な実施形態は、残りの従属項に現れる。
【発明を実施するための最良の形態】
【００２９】
以下、添付図面を参照して、実施形態の補助により、本発明を詳細に説明する。
【００３０】
モジュール型電気クロスコネクタの実施形態の補助により本発明を以下に説明するが、本発明によれば、電気クロスコネクタの多数の実施形態が可能である。一つの特徴は、電気クロスコネクタが、モジュール状に構成され、換言すると本発明によればほぼ同一形状の電気クロスコネクタにより延長され、多数の電気クロスコネクタを形成できることである。また、電気クロスコネクタは、１個の電気架橋部と、一方では架橋部を保持し、他方では電気クロスコネクタのモジュールを延長することができる１個のキャリアとを具備するのみであることが好ましい。
【００３１】
本発明に従った他の実施形態の場合には、互いに異なって、別の位置に配置されるよう構成されたモジュール型電気クロスコネクタの固定部を提供することが特に可能である。特に、例えば図面に関し、逆の配置が可能である。また、本発明の実施形態において、図に示される以外の位置に電気架橋部の電気コンタクトピンを設けることが可能であり、その延長が、例えば電気クロスコネクタの縦中心線を交差できることが理想である。さらに、コンタクトピンが、電気クロスコネクタの縦中心線に対して平行に配置される一平面に設けられる必要がない、すなわち、一方のコンタクトピンは、他方のコンタクトピンよりも縦中心線から大きく離間してもよい。また、本発明に実施形態において、１本のコンタクトピンが、キャリアの外面すなわち端面と整列しないこと、又は電気クロスコネクタの外側の制限部を必ずしも形成しないことが可能である。以下の説明は、本発明のこのような実施形態を部分的により密接に扱う。
【００３２】
図１及び図２は、本発明に従ったモジュール型電気クロスコネクタ１の一実施形態を示す斜視図である。この場合、電気クロスコネクタ１は、実質的に２部品、すなわちキャリア１００と、キャリア１００に接続され、キャリア１００を除いた図３ないし図５に最もよく示される電気架橋部２００とを有する。
【００３３】
電気架橋部２００は、実質的に電気連結部２１０を有する。電気連結部２１０の縦方向の２端部には、電気コンタクトピン２２０がそれぞれ設けられる。各コンタクトピン２２０は、連結部２１０に対してほぼ直角をなすことが好ましい。これに関しては、特に図３を参照されたい。連結部２１０及び各コンタクトピン２２０は別の角度をなしてもよく、これらの角度は互いに異なってもよい。
【００３４】
電気架橋部２００は、連結部２１０及び２本の電気コンタクトピン２２０がほぼ一平面（図示せず）内に配置され、正面図（図３）において単純なＵ形状を有し、側面図（図４）及び平面図（図５）において単純なＩ形状を有するように構成することができる。
【００３５】
しかし、本発明の別の実施形態においては、電気架橋部２００の連結部２１０に関して所定間隔でオフセットした電気コンタクトピン２２０を設けることが可能である。これは、図４及び図５で容易に見ることができる。コンタクトピン２２０は、過渡部２１５により連結部２１０に一体に接続されている。これは、架橋部２００に、正面図（図３）ではＵ形状の外観を、側面図（図４）ではＬ形状の外観を、平面図（図５）ではＵ形状の外観を与える。
【００３６】
各過渡部２１５は、連結部２１０の平面内で連結部２１０から直角に傾斜し、この平面（図５参照）内で所定距離を架橋し、第１平面（図４参照）に対してほぼ直角に配置された一平面内で関連するコンタクトピンへ直角に通過する。換言すると、過渡部２１５は、ほぼ３次元の「Ｓ」の形態を有し、この「Ｓ」形状の一方の縦端部は、元の平面から90°曲げて設けられる。
【００３７】
このタイプの一実施形態において、電気コンタクトピン２２０は、その電気架橋部２００又は連結部２１０の縦中心線Ｌに対して所定の間隔で配列される。この縦中心線Ｌはまた、モジュール型電気クロスコネクタ１又はそのキャリア１００の縦中心線Ｌでもある。電気クロスコネクタ１の対応する縦方向もＬを意味する。
【００３８】
各電気コンタクトピン２２０をキャリア１００の横方向外側の制限部１０２に整列させるために、関連する電気コンタクトピン２２０は、各コンタクトピン２２０をさらに外方に連結部２１０の外側の縦方向の領域内に変位させる曲げ部２２２を有する。図６及び図７を参照されたい。換言すると、電気架橋部２００の横方向外側の制限部２０２、すなわちコンタクトピン２２０の横方向外側の制限部２０２は、キャリア１００の端部外側の制限部１０２と整列する。
【００３９】
この結果、２個のモジュール型電気クロスコネクタ１を接続する際に、２本の電気コンタクトピン２２０を互いの上に直接載置させることが可能である。電気コンタクトピン２２０は、例えばリレーソケット２のホルダ２０等の電気（ジャック）コンタクト２０内に差し込むことができる。図１０ないし図１２を参照されたい。その結果、直に隣接する２個の電気クロスコネクタ１の導電接続も、関連するコンタクト２０の外側で生み出される。
【００４０】
電気架橋部２００はキャリア１００に保持される。架橋部２００は、キャリア１００内部の部分に設けてもよい。また、キャリア１００（図示せず）上に架橋部２００を設けることも可能である。さらに、キャリア１００で保持される架橋部２００の部分をキャリア１００内部に部分的に設けることも可能である。このタイプの一実施形態において、例えば連結部２１０は、キャリア１００の架橋部分１２０の領域に見ることができる。
【００４１】
図示の実施形態において、電気架橋部２００は、キャリア１００内部に連結部２１０を具備する。架橋部２００の関連する過渡部２１５の少なくとも一領域も、キャリア１００内部に設けられることが好ましい。図示される実施形態において、関連するコンタクトピン２２０の過渡部２１５の一部は、キャリア１００上に構成されている延長部１４０内部に設けられる。
【００４２】
各延長部１４０はさておき、２本のコンタクトピン２２０がキャリア１００から下方に突出することが、図２において容易に見ることができる。延長部１４０は、キャリア上に横方向に構成できるのみならず、下方（図２において）に延びてもよい。延長部１４０の制限辺は、コンタクトピン２２０の横方向外側の制限部２０２と整列することが好ましい、キャリア１００の外端制限部１０２の一部である。
【００４３】
キャリア１００は、モジュール型電気クロスコネクタ１の縦方向Ｌに主に沿って延びるようほぼ直方体として構成される。電気架橋部２００の連結部２１０は、直方体状キャリア１００内部に受容される。２個の固定部１００，１３０は、この直方体上に構成され、キャリア１００の縦部分である架橋部分１２０により互いに接続されている。
【００４４】
キャリア１００の２個の固定部１１０，１３０は、互いに対応する固定部として構成される。換言すると、固定部１３０がキャリア１００から分離又は解除することができる場合、同じキャリア１００の固定部１１０との雌型及び雄型の機械的接続、又は雌型及び雄型の機械的相互接続を受けるかもしれない。この接続又は相互接続は、機械的なプラグ接続として構成されるのが好ましい。
【００４５】
本発明によれば、機械的プラグ接続は、全ての雌型及び雄型の接続、又は雌型及び雄型の相互接続を意味するものと解釈すべきである。特に、この機械的プラグ接続は、スナップオン、ラッチ、嵌合、締付け、クリップ、クランプ、又は解除するよう構成されることが好ましい特別なプラグ接続を意味するものと解釈すべきである。もちろん、解除できない機械的な接続／相互接続を使用することも可能である。
【００４６】
雄型（１１０）及び雌型（１３０）としての２個の固定部（１１０，１３０）の構成のため、互いに固定された２個のモジュール型電気クロスコネクタ１を設けることも可能である。これは、図１０及び図１１において特に容易に見ることができる。本実施形態において、第１固定部１１０は結合部１１０として構成され、第２固定部１３０は受容部１３０として構成される。これは、明らかに逆の配置が可能である。
【００４７】
本発明の好適な実施形態において、第２電気クロスコネクタ１の受容部１３０に接続するためのモジュール型電気クロスコネクタ１の結合部１１０は、対応して構成される突起１１２を有する。この突起１１２は、例えば、ラッチ突起、ラッチフック、又は図示されるように固定帯１１２であってもよい。
【００４８】
これに対応して、受容部１３０は、突起１１２との雌型又は雄型の機械的接続を受けることができるように構成される凹部１３２を有する。凹部１３２は、例えば、一般的な凹部、ラッチ凹部又は溝として構成されてもよい。図示されているように、凹部１３２は、第２モジュール型電気クロスコネクタ１の固定帯１３２がラッチできる貫通凹部１３２である。
【００４９】
例えば結合部又は受容部として構成された第１固定部１１０は、キャリア１００上の電気架橋部２００の連結部２１０の縦方向端部上に構成される。例えば結合部又は受容部として構成された第２固定部１３０は、本実施形態ではキャリア１００上の突片１３０として構成される。
【００５０】
キャリア１００の架橋部分１２０は、第１固定部１１０及び第２固定部１３０間に設けることができる。架橋部分１２０の長さは、一方では第１固定部１１０の長さに従って計測され、他方では２個の短絡電気コンタクト２０の平均間隔に従って計測される。第１固定部１１０が第２固定部１３０まで届くように、そして架橋部分１２０（図示せず）を設けないように構成することが可能である。
【００５１】
突片１３０は、架橋部分１２０から縦方向Ｌに沿ってキャリア１００の本体（直方体）から外方に突出して設けられることが好ましい。また、突片１３０を、架橋部分１２０の領域の直方体状キャリア１００上に、図１及び図２において頂上に配置することが好ましい。本発明によれば、凹部１３２又は突起１１２は、突片１３０上又は突片１３０内に設けられる。突片１３０が突起１１２を有する場合、図１及び図２において底に形成される。これに対応して、これに対応する凹部１３２は第１固定部１１０内に配置され、次に、断面ではアンダカットである溝として構成されることが好ましい。
【００５２】
本実施形態において、第２固定部１３０（突片１３０）は、第２モジュール型電気クロスコネクタ１の第１固定部１１０にラッチするための貫通凹部１３２を有する。第２電気クロスコネクタ１の固定帯１１２は、この貫通凹部１３２に係止することができる。これは、図１０に示されている。
【００５３】
固定帯１１２が、好適には貫通凹部１３２の２個の縦辺すなわち縦縁に配置されラッチすることができる２個の固定帯１１２を具備することが好ましい。排他的でもあるラッチは、もちろん、貫通凹部１３２の１個又は２個の横辺でも可能である。貫通凹部１３２は、キャリアの外端制限部１０２まで延びることが好適である。これは、図２及び図１１に容易に見ることができる。
【００５４】
本発明の好適な実施形態において、突起１１２及び凹部１３２は共に、モジュール型電気クロスコネクタ１の縦方向Ｌに沿って延びるよう設けられ、凹部１３２は突起１１２よりも長いことが好ましい。これは、互いに接続された２個の電気クロスコネクタ１の相互変位可能性を生み出し、電気クロスコネクタ１の側における、及び例えば図１２に示されるリレーソケット２等の電気機器２の電気コンタクト２０の側の許容差を補償することが可能である。
【００５５】
突起１１２又は凹部１３２の各長さは、共に差し込まれる複数のモジュール型電気クロスコネクタ１の安定性の側面に主に依存する。各突起１１２又は各凹部１３２が長いほど、直に隣接する電気クロスコネクタ１間をラッチすることがより強力になるが、相互ラッチを生み出す、又は再度解除することはより困難である。突起１１２の可変長さは、図６において破線で示される。この手順も、対応する凹部１３２（図示せず）と同様である。
【００５６】
本発明の好適な実施形態において、電気架橋部２００は、断面が多角形、特に方形の電線を曲げられる。特に、相互に固定された２個のモジュール型電気クロスコネクタ１用のこの断面の、例えば方形等の矩形構成により、関連するコンタクトピン２２０（面２０２）と平面当接することが可能であり、これにより導電接続を生み出す。これは、特に図１０及び図１１に容易に見ることができる。電気架橋部２００のために他の断面を使用することも可能であることは明白である。特に湾曲した断面がこれに適する。
【００５７】
図９は、貫通凹部１３２の領域における突片１３０の断面図である。貫通凹部１３２は、結合部１１０又は突起１１２とラッチすることが可能であるように、構成され設けられる。本実施形態において、縦方向Ｌ全体の延長方向に沿った貫通凹部１３２の断面は、先端が切り取られた円錐を通るほぼ中央部の形状を有する。換言すると、貫通凹部１３２の縦壁は、互いに対して0〜180°異なった角度をとる。断面が切断されたＶ形状に延びるこの貫通凹部１３２は、図９において容易に見ることができる。
【００５８】
これに対応して、２本の固定帯１１２は、第１固定部１１０上に構成され設けられる。各固定帯１１２は、その断面がほぼ三角形になるように構成され、２本の固定帯１１２間の電気クロスコネクタ１の横方向の最大間隔は、貫通凹部１３２の横方向に沿った２つの壁の最小間隔より大きい。
【００５９】
２個の固定部１１０，１３０を共に差し込む際に、貫通凹部１３２の狭い側から来る２本の固定帯１１２は、貫通凹部１３２の中に差し込まれ、２本の固定帯１１２が互いに向かって移動する。固定帯１１２の最大間隔が貫通凹部１３２の最狭点（図９の左側に見られる）を通過すると、２本の固定帯１１２は貫通凹部１３２内にスナップ係合し、２個のモジュール型電気クロスコネクタ１は互いに固定される。これは図１０において容易に見ることができる。
【００６０】
本発明の好適な実施形態において、電気架橋部２００の電気連結部２１０及び電気コンタクトピン２２０は一平面内にない。２本の電気コンタクトピン２２０が一平面にわたることが好ましく、この平面に関して、連結部２１０が平行に配置される。これは、図５、図８及び図１０において容易に見ることができる。各電気コンタクトピン２２０に連結部２１０を接続する過渡部２１５が、キャリア１００内部に配置されることが好ましい。
【００６１】
キャリア１００は好適には、キャリア１００の縦端部の各々に配置されて横方向に延びる延長部１４０を有する。これらの延長部１４０はそれぞれ、過渡部２１５の一部を占めると共に、それぞれ過渡部から離れる方向に延びる電気コンタクトピン２２０の一部を占める。このずれ、すなわち連結部２１０の２本のコンタクトピン２２０との段状構成により、少なくとも２個のモジュール型電気クロスコネクタ１を電気装置２上に平行に設けることが可能である。これは、図１２に示されるリレーソケット２の例示で見ることができる。
【００６２】
その結果、少なくとも２個の直に隣接する電気コンタクトピン２２０が、２個の異なる電気クロスコネクタ１により電気的に接触し、これら電気クロスコネクタを異なる電位に接続することを常に可能にする。また、２個の電気クロスコネクタ１をリレーソケット２の単一ホルダ２０内で各電気コンタクトピン２２０と平行に配置することが可能である。関連する電気コンタクトピン２２０と平行に配置された２個の電気クロスコネクタ１が、例えば図１０及び図１１に示されるように互いの上に載置することが好ましい。
【００６３】
換言すると、延長部１４０及び電気架橋部２００の一方又は双方は、一方では図１０に示されるように２本のコンタクトピン２２０の横方向の直接当接を可能にし、また、互いに平行に配置された２個のモジュール型電気クロスコネクタ１の２本の電気コンタクトピン２２０を直接当接させるように構成されてもよい。
【００６４】
本発明によれば、互いに異なるモジュール型電気クロスコネクタ１を設けることができるとともに、少なくとも部分的に互いに固定することも可能である。これは、特に、関連する架橋部分１２０，１２０の長さが異なることに関連する。これにより、電気架橋部におけるより大きな柔軟性を達成することができる。
【００６５】
例えば、単一の格子幅用のモジュール型電気クロスコネクタ１を、２倍の格子幅用のモジュール型電気クロスコネクタ１を設けることが可能である。異なる２個の電気クロスコネクタ１；１の関連する固定部１１０，１３０；１３０，１１０は、それぞれ対応して構成されることが好ましいので、異なる電気クロスコネクタ１；１も共に差し込むことができる。
【００６６】
本発明によれば、電気コンタクトピン２２０を電気コンタクトジャックとして構成することも可能である。コンタクトピン２２０又はコンタクトジャックの関連する長さは、関連するリレーの電気コンタクト２０（ジャックコンタクト／ホルダ又はピンコンタクト）の深さ又は長さよりも長くないことが好ましい。
【図面の簡単な説明】
【００６７】
【図１】本発明に従ったモジュール型電気クロスコネクタを上から見た斜視図である。
【図２】図１の電気クロスコネクタを下から見た斜視図である。
【図３】本発明に従った電気クロスコネクタの電気架橋部の側面図である。
【図４】図３の電気架橋部の正面図である。
【図５】図３の電気架橋部の平面図である。
【図６】本発明に従った電気クロスコネクタの正面図である。
【図７】本発明に従った電気クロスコネクタの側面図である。
【図８】本発明に従った電気クロスコネクタの平面図である。
【図９】図８の断面９−９に沿った本発明の電気クロスコネクタの固定突片の断面図である。
【図１０】互いに固定された本発明の２個の電気クロスコネクタを上から見た斜視図である。
【図１１】図１０の本発明の２個の電気クロスコネクタを下から見た斜視図である。
【図１２】本発明の複数の電気クロスコネクタの使用を示す斜視図である。
【符号の説明】
【００６８】
１      電気クロスコネクタ
２０    電気コンタクト
１００  キャリア
１０２  制限部
１１０  固定部（結合部）
１１２  突起
１３０  固定部（受容部）
１３２  凹部
２００  電気架橋部
２０２  制限部
２１０  連結部
２２０  電気コンタクトピン
Ｌ      縦方向
【図１】
0005354573.tif 000002
【図２】
0005354573.tif 000003
【図３】
0005354573.tif 000004
【図４】
0005354573.tif 000005
【図５】
0005354573.tif 000006
【図６】
0005354573.tif 000007
【図７】
0005354573.tif 000008
【図８】
0005354573.tif 000009
【図９】
0005354573.tif 000010
【図１０】
0005354573.tif 000011
【図１１】
0005354573.tif 000012
【図１２】
0005354573.tif 000013